(57)【要約】      （修正有）【課題】枕に快眠を促す突起部を装備し、枕の高さも自分の最適な高さに微調整でき、寝たままで読書、書き物も出来る枕（ベッドにも適用）と、地震等の災害時に履物と変わる枕の提供。【解決手段】枕本体に色々な機能を装備し、読書、書き物が出来、又、地震等の災害時には履物として使用する為、下駄の鼻緒、防災頭巾と成る枕カバーを附け色々役に立つ。１ａは上部枕の本体、２は快眠を促す突起部であり、３は４の溝に収まった鼻緒である。１ｂは下部枕の本体、５は６支柱から取り外し可能、又は、高さを微調整する部材で、７は１本体に孔をあけ６，８を本体に固定し、そして本体から外す部品で角度調整する留め具、９は本(未来的にはデンシブック)、メモ用紙などの台、１０は本(メモ用紙)を固定しページも捲れる部材で、１１は本台の角度を調整し、固定する留め具である。【選択図】図１
0003134852.tif 000002
【実用新案登録請求の範囲】
【請求項１】
枕に安眠を促す突起部を枕の上下に装備し、突起部も六画棒により上下する事を特徴とした枕。
【請求項２】
枕の高さを自分の最適な位置に調整でき、突然の災害時等には、枕の上下を外し履物として利用する請求項１記載の枕。
【請求項３】
枕カバーは夏物と冬物カバーを装備する、カバーは防災用頭巾に成り、枕からはボタン、ゴムにより脱着可能にした、請求項１又は２のいずれかに記載の枕。
【請求項４】
寝たままで読書、書物等の出来る台を装備した事を特徴とした請求項１ないし３のいずれかに記載の枕。
【考案の詳細な説明】
【技術分野】
【０００１】
本考案は、枕に色々な機能を持たせ、快眠は勿論の事、地震等の災害時に履物、防災頭巾、小物入れ、仰向け状態で読書、書物を可能にした装置を備えた安眠枕で枕に関すものである。
【背景技術】
【０００２】
枕には、色々な枕は有りますが、帯に短く襷に長し、この諺の様に自分に逢った枕は、御目に繋った事が有りません。夏には涼しく、冬には暖かく、テレビを観る時に調度良い高さに成ってくれる枕、寝たまま読書、書物などが出来る枕などは、未だに御目に繋った事はありません。そして人生の３分の1は枕にお世話に成事だが未だに出会えない。
【考案の開示】
【考案が解決しようとする課題】
【０００３】
従来の枕は、なかなか自分に逢った枕、快眠出来る枕に出会える事は難しいと思われている方々がたくさん居られると思われる。枕が自分に合わなければ睡眠中まで疲れ、寝起きは大変な状況に成ってしまう事と成る。また大地震に出会ったときなどは、人々は、とんでもない状況で手身近に在る物を抱えていると（枕）良く言われている。其のとんでもない物に最初からトランジスターラジオ、携帯電話、タオル、ナイロン袋などを小物入れに最初から入れて枕元に小物入れを備えていれば、枕は履物に成る枕であれば大変助かると思われる。寝る前には御自身の好みの番組を聞きながらリラックスして快眠で朝を迎え、日々の活力ともなる。蒲団に入ると直ぐにお休み出来る時と出来ない時も皆さん覚えがあろうかと思いますが、そんな折りに読書、書物が出来れば苛々しないで眠たくなるまで読書とか書物でもしていたら自然に眠たくなり寝られる事が良くあると思われます。
【課題を解決するための手段】
【０００４】
請求項１の考案は枕に安眠を促す突起部を枕の上下に装備し、突起部も六画棒により上下する事を特徴とした枕である。請求項２の考案は枕の高さを自分の最適な位置に調整でき、突然の災害時等には、枕の上下を外し履物として利用する請求項１記載の枕である。請求項３の考案は枕カバー夏物と冬物カバーを装備する、カバーは防災用頭巾に成り、枕からはボタン、ゴムにより脱着可能にした、請求項１又は２のいずれかに記載の枕である。請求項４の考案は寝たままで読書、書物等の出来る台を装備した事を特徴とした請求項１ないし３のいずれかに記載の枕である。従来の枕に使用するのでなく、新しい発想の基での枕、快眠は勿論の事、地震等の災害時にも人々の難儀をも軽減し脱出なども助けその後の必要な情報や連絡用に、携帯電話なぞを枕元の小物入れに備えていれば、落ち着けば連絡も取る事も出来るし周りの状況も把握（トランジスターラジオ、携帯電話）する事で少しは不安をも解消できるかも、不幸にして負傷などをされた時には、枕の下側には連絡先、血液型など必要と思われる事を記入していれば万が一の折りに役立つ。
【０００５】
而して、一番手身近にある枕に安心、安全、其の上寝たまま読書、書物も出来、快眠は勿論の事寝起きにも爽快であり毎日、毎日が活力ある日々が送れる。快眠に附いて、一人一人の眠りやすい高さ、快い位置に突起部を当てラジオでも聞きながらリラックスして寝られる。
【考案の効果】
【０００６】
本考案は従来の枕に装備するのではなく、枕の部材は色々であるが木材の間伐材を一番に活用し、山、山林を活性化させ、林業に貢献し山の環境を、整え山を整備する事により、海までに善き影響をもたらす。現在日本海岸の砂浜は侵食が著しい状況下にある。
【考案を実施するための最良の形態】
【０００７】
上記枕の一辺は(横)40〜50ｃｍ、もう一辺は(縦)20〜30ｃｍとされる。本(メモ)台の支柱は80〜90ｃｍとなる。枕の高さは5〜30ｃｍと成る。
【実施例】
【０００８】
図１は本枕の概略説明図であって、１ａは上部枕の本体、２は快眠を促す突起部である、３は４の溝に収まった鼻緒である、１ｂは下部枕の本体、５は６支柱の取り外し可能又、高さ微調整部材、７は1本体に孔をあけ６，８を本体に固定、そして本体から外す部品、７は６，８の固定、角度調整する留め具、９は本(未来的にはデンシブック)、メモ用紙などの台、1０で本(メモ用紙)固定しページも捲れる部材。11は本台の角度を調整、固定留め具
【図面の簡単な説明】
【０００９】
【図１】枕全体の斜視図を示す図
【図２】快眠を促す突起部、高さ調整２’は六角棒でネジ山回す孔を示す図
【図３】快眠を促す突起部が上がった状態を示す図
【図４】本台盤の角度を調整、留め具を示す図
【図５】本台盤支柱を示す図
【図６】枕の高さ調整柱の受け孔を示す図
【図７】枕の高さ調整柱の留め具を示す図
【図８】本の大きさによりスライドする受けを示す図
【図９】本台盤と本止めを示す図
【図１０】本台盤の断面を示す図
【図１１】本止め、ページ捲り、留め正面を示す図
【図１２】本止め、ページ捲り、留め斜視を示す図
【図１３】支柱受けと留めを示す図
【図１４】支柱受けと留めの孔を示す図
【符号の説明】
【００１０】
１  枕の上下
２  快眠を促す突起部、高さ調整は六角棒でネジ山回す孔
３  鼻緒
４  鼻緒溝
５  枕の上下の高さ調整、固定留め具
６  枕の上下高さ調整柱
７  本台盤支えと、留め具、７’留め孔
８  本台盤支え柱
９  本台盤
１０  本止め、ページ捲り、留め
１１  本台盤の角度を調整、留め具
１２  本台盤を支える支柱
１３  本の大きさにより拡大、縮小、スライドする本受け台
【図１】
0003134852.tif 000003
【図２】
0003134852.tif 000004
【図３】
0003134852.tif 000005
【図４】
0003134852.tif 000006
【図５】
0003134852.tif 000007
【図６】
0003134852.tif 000008
【図７】
0003134852.tif 000009
【図８】
0003134852.tif 000010
【図９】
0003134852.tif 000011
【図１０】
0003134852.tif 000012
【図１１】
0003134852.tif 000013
【図１２】
0003134852.tif 000014
【図１３】
0003134852.tif 000015
【図１４】
0003134852.tif 000016
【手続補正書】
【提出日】平成19年4月27日(2007.4.27)
【手続補正１】
【補正対象書類名】実用新案登録請求の範囲
【補正対象項目名】全文
【補正方法】変更
【補正の内容】
【実用新案登録請求の範囲】
【請求項１】
枕に安眠を促す突起部を枕の上下に装備し、突起部も六角棒により上下する事を特徴とした枕。
【請求項２】
枕の高さを自分の最適な位置にネジ、筋交いにより調整でき、突然の災害時等には、固定部品を外し履物として利用する請求項１記載の多機能枕。
【請求項３】
枕カバーは夏物と冬物カバーを装備する、カバーは防災用頭巾に成り、枕からはボタン、ゴムにより脱着可能にした、請求項１,２記載の多機能枕。
【請求項４】
先端部がスライドする支柱を両側につけ、又支柱の根元には、貫通孔がありそこに回転自在の留め部品（７）を挿入し、中間部の上部枕には、複数の孔が有り、止具（７）の突起部に支柱を乗せ、寝たままで読書、書物等の出来る台をナット、ネジ（１１，１２）により固定、解除する部品を装備した事を特徴とした請求項１,２,３、記載の多機能枕。
【手続補正書】
【提出日】平成19年6月12日(2007.6.12)
【手続補正１】
【補正対象書類名】実用新案登録請求の範囲
【補正対象項目名】全文
【補正方法】変更
【補正の内容】
【実用新案登録請求の範囲】
【請求項１】
枕に安眠を促す突起部を枕の上下に装備し、突起部も六角棒により上下する事を特徴とした多機能枕。
【請求項２】
枕の高さを自分の最適な位置にネジ、筋交いにより調整でき、突然の災害時等には、固定部品を外し履物として利用する請求項１記載の多機能枕。
【請求項３】
枕カバーは夏物と冬物カバーを装備する、カバーは防災用頭巾に成り、枕からはボタン、ゴムにより脱着可能にした、請求項１又は２のいずれかに記載の多機能枕。